(57)【要約】  コンピュータシステムは、展開されるときにキーボード及びスタンドを露出し得るパネルを含む。スタンドは、コンピュータシステムをその直立位置に保持する。キーボードは無線キーボードであり得るし、キーボードトレイの一部であり得る。パネルが展開されるとき、キーボードはスタンドからスライドして出し入れされ得る。キーボードがスタンド内にスライドして入るとき、キーボードトレイ及びスタンドはパネルを形成する。パネルが展開されるとき、コンピュータシステムを１つの場所から他の場所に運ぶよう、運搬ハンドルを持ち上げ得る。【特許請求の範囲】
【請求項１】
筐体と、
該筐体に結合されたハンドルと、
前記筐体に結合されたキーボードトレイとを含み、
前記ハンドルは、頂縁部間隙をもたらすよう、前記筐体の頂縁部を越えて延び、且つ、背面間隙をもたらすよう、前記筐体の背面から離れて延び、
前記キーボードトレイは、スタンドと、キーボードとを含み、前記キーボードトレイは、前記筐体を直立位置に保持するために、前記筐体から展開される装置。
【請求項２】
前記筐体は、正面と、背面とを含み、前記ハンドルは、前記背面で前記筐体に結合される、請求項１に記載の装置。
【請求項３】
前記ハンドルは、前記背面に強固に或いは半強固に付着される、請求項２に記載の装置。
【請求項４】
前記ハンドルは固定的である、請求項２に記載の装置。
【請求項５】
前記キーボードトレイは、前記背面で且つ前記ハンドルの下方で前記筐体に結合される、請求項４に記載の装置。
【請求項６】
前記キーボードトレイは、蝶番機構を用いて、前記筐体の前記背面の実質的に底部近傍で前記筐体に結合される、請求項５に記載の装置。
【請求項７】
前記蝶番機構は、前記筐体の前記背面に対する前記キーボードトレイの展開又は折畳みを可能にする、請求項６に記載の装置。
【請求項８】
前記キーボードは、前記キーボードトレイに対して格納可能である、請求項８に記載の装置。
【請求項９】
前記キーボードは無線キーボードである、請求項８に記載の装置。
【請求項１０】
前記キーボードトレイは、遠隔制御装置をさらに含む、請求項８に記載の装置。
【請求項１１】
前記遠隔制御装置は、赤外線信号を送信可能である、請求項１０に記載の装置。
【請求項１２】
前記遠隔制御装置は、カーソル制御装置として使用し得るパッドを含む、請求項１０に記載の装置。
【請求項１３】
前記キーボードトレイは、無線電話受話器をさらに含む、請求項１０に記載の装置。
【請求項１４】
前記無線電話受話器は、ブルートゥース通信モジュールを含むべき、請求項１４に記載の装置。
【請求項１５】
前記筐体の前記正面は、ディスプレイスクリーンを含む、請求項７に記載の装置。
【請求項１６】
前記筐体の前記正面は、指紋センサをさらに含む、請求項１５に記載の装置。
【請求項１７】
前記筐体の前記正面は、ビデオカメラをさらに含む、請求項１６に記載の装置。
【請求項１８】
前記筐体の前記正面は、１つ又はそれ以上のスピーカをさらに含む、請求項１７に記載の装置。
【請求項１９】
前記筐体の前記正面は、１つ又はそれ以上のマイクロホンの配列をさらに含む、請求項１８に記載の装置。
【発明の詳細な説明】
【発明の詳細な説明】
【０００１】
（関連出願）
本出願は、２００３年９月１５日に出願された同時係属中の米国特許出願第１０／６６３，０１３号の一部継続出願である。
【０００２】
（著作権の通知）
ここに包含される題材は著作権の下にある。著作権所有者は、特許商標庁の書類又は記録に記されている通りの特許開示の何人による複製に異存はないが、それ以外の如何なる著作権に対する全ての権利も留保する。
【技術分野】
【０００３】
本発明は、一般的には、コンピュータシステムの分野に関し、より詳細には、携帯可能なコンピュータシステムに関する。
【背景技術】
【０００４】
デスクトップコンピュータは、通常、ノートブック（ラップトップ又はモバイルとも呼ばれる）コンピュータに比べ重い。デスクトップコンピュータは、典型的には、ディスプレイケーブルを介してシステム又はベースユニットに接続された別体のディスプレイユニット又はモニタを含む。他方、ノートブックコンピュータは、典型的には、軽量且つコンパクトであり、近年より一般的になっている。
【０００５】
ノートブックコンピュータの１つの利点は、それらの易動性である。より軽い重量及びコンパクトサイズは、長いバッテリ寿命と相俟って、ノートブックコンピュータの使用をよりありふれたものにした。軽量及びバッテリ寿命への依存度は、ノートブックコンピュータがそれらのデスクトップシブリングと同一の多くの機能を備え得ないことを意味する。
【発明の開示】
【発明が解決しようとする課題】
【０００６】
本発明は従来技術の問題点を解決することを目的とする。
【課題を解決するための手段】
【０００７】
１つの実施態様に関して、折畳式のスタンド及び格納式のキーボードを有するコンピュータシステムが開示されている。以下の本発明の詳細な記載において、本発明の完全な理解をもたらすために、多くの具体的な記載が記されている。しかしながら、これらの具体的な詳細がなくても本発明を実施し得ることが当業者に明らかであろう。他の実施例では、本発明を不明瞭にすることを避けるために、周知の構造及び装置が、詳細にというよりも、むしろブロック図の形態で示されている。
【０００８】
明細書における「１つの実施態様」又は「実施態様」への言及は、実施態様に関連して記載される具体的な機能、構造、及び、特徴が、本発明の少なくとも１つの実施態様内に含まれることを意味する。明細書中の多様な場所における「１つの実施態様において」という表現の現れは、必ずしも全て同一の実施態様に言及していない。
【０００９】
本発明は一例として例証されており、添付図面の図案に限定されない。図面中の同等参照番号は、類似又は同一の素子を指し示している。
【発明を実施するための最良の形態】
【００１０】
（概観）
図１Ａは、１つの実施態様に従ったコンピュータシステムを例証している。コンピュータシステム１００は、長方形で平面的であり得る筐体１０３を含み得る。筐体１０３は、多くの電子構成素子、回路板、及び、類似物を含み得る。筐体１０３は、正面１０１と、背面１０２とを含み得る。コンピュータシステム１００が通常動作モードにあるとき、筐体１０３は直立位置にあり得る。コンピュータシステム１００が通常動作モードにないとき、筐体１０３は背面１０２又は正面１０１で平面的に位置し得る。コンピュータシステム１００は典型的なデスクトップコンピュータのように見え得ないが、コンピュータシステム１００は、典型的なデスクトップコンピュータに類似する機能を含み、且つ、典型的なデスクトップコンピュータに類似する性能を供給し得ることが想定される。コンピュータシステム１００を時折場所から場所へ移動し得る（即ち、携帯型である）こと、並びに、通常それを交流（ＡＣ）電源及び有線ネットワークに接続し得ることも想定される。
【００１１】
筐体の背面
図１Ｂ乃至１Ｃは、１つの実施態様に従って、コンピュータシステム１００の背面１０２の２つの異なる図面を例証している。背面１０２は、上方パネル１１５（第一パネルとも呼び得る）と、下方パネル１１０（第二パネルとも呼び得る）とを含み得る。上方パネル１１５は、くぼみ１２０を含み得る。１つの実施態様について、くぼみ１２０は卵形であり得るし、くぼみ１２０の底部がコンピュータシステム１００の背面１０２の一部であり得るよう、その深さは上方パネル１１５の厚さと同一であり得る。くぼみは運搬ハンドル（図示せず）の一部であり得る。
【００１２】
１つの実施態様について、上方パネル１１５をコンピュータシステム１００の背面１０２に強固に或いは半強固に付着し、埋め込み、或いは、取り付け得る。代替的に、上方パネル１１５は、コンピュータシステム１００の背面１０２の一部であり得るし、或いは、コンピュータシステム１００の背面の一部として鋳造し得る。下方パネル１１０は、分離縁部１２５で上方パネル１１５と境界を接し得る。分離縁部１２５は、コンピュータシステム１００の背面１０２の中心近傍にあり得る。分離縁部１２５を、上方パネル１１５のために隅部で丸め、下方パネル１１０のために隅部で丸め得る。上方パネル１１５及び下方パネル１１０は、類似の厚さを有し得る。図１Ａ乃至Ｃに例証される実施例において、コンピュータシステム１００は、通常の動作状態になくてもよい。
【００１３】
運搬ハンドル
図２Ａ乃至２Ｄは、１つの実施態様に従って、運搬ハンドル（取っ手）の異なる位置の実施例を例証している。上述のように、運搬ハンドル２００は、上方パネル１１５内に含まれ得る。１つの実施態様では、（図２Ａに例証されるように）完全格納位置から開始して上方パネル１１５からスライドすることによって、運搬ハンドル２００を露出し得る。（図２Ｂ及び２Ｃに例証されるように）運搬ハンドル２００を部分的に露出し得るし、或いは、（図２Ｄに例証されるように）完全に露出し得る。図１Ａ乃至１Ｃに記載されるくぼみ１２０を、今や、使用者が運搬ハンドル２００を把持し且つコンピュータシステム１００を１つの場所から他の場所へ移動することを可能にするための開口としてより明瞭に見ることができる。図示されていないが、運搬ハンドル２００が上方パネル１１５に対して調節されるときに、それが移動するのを可能にするために、案内／係止機構を用い得る。運搬ハンドル２００が上方パネル１１５から完全に離脱されるのを防止するためにも、案内／係止機構を用い得る。運搬ハンドル２００の位置はコンピュータシステム１００の動作又は性能に影響を及ぼし得ないことが留意され得よう。図２Ｅは、１つの実施態様に従って、完全な露出位置にある運搬ハンドル２００の他の実施例を例証している。１つの実施態様について、運搬ハンドルは、コンピュータシステム１００内の１つ又はそれ以上の通信装置に結合されるアンテナを含み得る。この状況において、運搬ハンドル２００の異なる位置は、アンテナの性能に影響を及ぼし得る。
【００１４】
図２Ｆ乃至２Ｉは、コンピュータシステム１００と共に用い得る運搬ハンドルの１つの実施態様の実施例を例証している。図２Ｆを参照すると、１つの実施態様において、運搬ハンドル２００は、固定のままであり得る。これは、図２Ａ乃至２Ｅに例証されるように運搬ハンドルが格納式である実施態様とは異なる。１つの実施態様について、頂縁部２０２と運搬ハンドル２００との間の幾らかの間隙を許容するために、運搬ハンドル２００の特定区画が、筐体１０３の頂縁部２０２を越えて延び得る。１つの実施態様について、この頂縁部間隙は、筐体１０３のほぼ幅全体に延び得る。１つの実施態様について、背面１０２と運搬ハンドル２００との間に間隙をもたらすために、運搬ハンドル２００の特定区画は、筐体１０３の背面１０２から離れて延び得る。頂縁部間隙及び背面間隙は、使用者が容易に把持し、且つ、コンピュータシステム１００を１つの場所から他の場所に移動するのを可能にし得る。運搬ハンドル２００は、コンピュータシステム１００の背面１０２に強固に或いは半強固に付着され、埋め込まれ、或いは、取り付けられ得る上方パネル１１５の一部であり得る。１つの実施態様について、上方パネル１１５は、図２Ｆに例証されるように、運搬ハンドル２００及び背面パッド２０１を含み得る。
【００１５】
図２Ｇは、図２Ｆを用いて記載された運搬ハンドルを例証するコンピュータシステム１００の正面図の１つの実施例である。この実施例では、運搬ハンドル２００はコンピュータシステム１００の頂縁部２０２の上方に延びて見られ、頂縁部間隙をもたらす。図２Ｈは、図２Ｆを用いて記載された運搬ハンドル２００を例証するコンピュータシステム１００の１つの例示的な側面図である。この実施例では、コンピュータシステム１００は、展開された下方パネル１１０によって支持された直立位置にある。この実施例は、運搬ハンドル２００が上方パネル１１５の一部であること、並びに、運搬ハンドル２００と頂縁部２０２と筐体１０３の背面１０２との間に間隙があることを例証している。図２１は、図２Ｆを用いて記載された運搬ハンドル２００を例証するコンピュータシステム１００の他の例示的な側面図である。この実施例では、下方パネル１１０は折り畳まれている。１つの実施態様について、運搬ハンドル２００の厚さは、下方パネル１１０の厚さと同一であり得る。１つの実施態様について、図２Ｆ乃至２Ｉに例証される運搬ハンドル２００は、コンピュータシステム１００内の１つ又はそれ以上の通信装置に結合されたアンテナを含み得る。
【００１６】
キーボードトレイ及びスタンド
図３Ａ及び３Ｂは、１つの実施態様に従って、下方パネル１１０が展開されたときのコンピュータシステム１００の下方パネル１１０の異なる位置を例証している。底縁部１３０又はその近傍で、１つ又はそれ以上の蝶番機構（図示せず）又は任意の他の種類の取付機構を介して、下方パネル１１０をコンピュータシステム１００に取り付け得る。蝶番機構は、下方パネル１１０が背面１０２から展開されるときに、それが１つ又はそれ以上の位置で係合し或いは係止するのを可能にするのに適した、係合又は係止機構（図示せず）を含み得る。係止機構は、角度３００を制限するのにも役立ち得る。これは、下方パネル１１０がコンピュータシステム１００の背面１０２からどの程度まで展開され得るかを制御し得る。１つの実施態様について、筐体１０３が通常の直立位置にあるとき、角度３００は９０度以下であり得る。これは筐体１０３がその正面１０１にひっくり返るかもしれない可能性を防止するのに役立ち得る。図３Ｃは、１つの実施態様に従って、コンピュータシステム１００の側面図の１つの実施例を例証している。この実施例では、角度３００は７０度に設定されていることに留意せよ。スタンドが図３Ｃに例証される実施例のように展開されるとき、それは拡張位置にあると考えられる。
【００１７】
図３Ｄ乃至３Ｆは、１つの実施態様に従って、背面１０２に対する様々な角度で、下方パネル１１０の実施例を例証している。１つの実施態様について、下方パネル１１０は、キーボードトレイ３６０と、スタンド３５５とを含み得る。角度３００が十分に大きいとき、下方パネル１１０は、キーボードトレイ３６０及びスタンド３５５を露出し得る。キーボードトレイ３６０は、デスクトップコンピュータと共に典型的に用いられるフルサイズのキーボードトレイ３５０を含み得る。キーボードトレイ３６０は、コンピュータシステム１００と共に用いられ得る他のアクセサリ装置も含み得る。スタンド３５５は、３つの側面でキーボードトレイ３６０を取り囲み、底縁部１３０と境界を接する側面を開放状態にし得る。スタンド３５５を、その第一端部３６５及び第二端部３７０で、コンピュータシステム１００の背面１０２又は底部（図示せず）に取り付け得る。この取付けは、下方パネル１１５をコンピュータシステム１００に取り付けるために用いられる同一の取付け又は蝶番機構であり得る。
【００１８】
１つの実施態様について、係止機構（図示せず）を用いて、キーボードトレイ３６０をスタンド３５５に係合離脱し得る。離脱されるとき、キーボードトレイ３６０は、底縁部１３０と境界を接する開口で、スタンド３５５から滑り出し得る。図４Ａ乃至４Ｃは、１つの実施態様に従って、キーボードトレイ３６０がスタンド３５５から滑り出され或いは引き抜かれ且つ下方パネル１１５から離れているときの、キーボードトレイ３６０の異なる位置の実施例を例証している。図４Ｄ及び４Ｅは、他の実施態様に従って、スタンド３５５から出たキーボードトレイ３６０の実施例を例証している。下方パネル１１５（又はスタンド３５５）をコンピュータシステム１００に取り付ける取付け又は蝶番機構は、スタンド３５５が容易に展開するのを許容するのに十分なほどに可撓であると同時に、スタンド３５５が筐体１０３の重量を支持するのを許容するのに十分なほどに強力である必要があり得る。１つの実施態様について、筐体１０３がその背面１０２に向かって倒れるのを防止するよう、スタンドの幅３５６は、筐体１０３の重量を支持するのに十分なほどに大きい必要があり得る。
【００１９】
筐体の正面
図５Ａは、１つの実施態様に従った、コンピュータシステム１００の側面図の実施例を例証している。１つの実施態様について、筐体１０３の正面１０１は、ディスプレイ５５０を含み得る。ディスプレイ５５０は平面的であり得るし、液晶ディスプレイ（ＬＣＤ）、プラズマディスプレイ、又は、任意の他の種類のディスプレイであり得る。ディスプレイは、そのサイズが、例えば、１７インチ、２１インチ、又は、より大きな大型ディスプレイであり得る。大型ディスプレイサイズは、コンピュータシステム１００の使用者があたかも典型的なデスクトップコンピュータを使用しているかのような経験を有することを可能にし得る。大型ディスプレイサイズは、使用者があたかもテレビスクリーンを見ているかのような経験を有することも可能にし得る。図５Ａに例証されているようなコンピュータシステム１００の下方パネル１１５は、完全に折り畳まれていることが分かり得る。
【００２０】
認証センサ
図５Ｂは、１つの実施態様に従って、コンピュータシステム１００の筐体１０３の正面１０１の実施例を例証している。１つの実施態様について、正面１０１は、認証にアクセスすることを可能にするセンサ５５５も含み得る。センサ５５５は、指紋センサであり得る。この実施例において、センサ５５５をディスプレイ５５０の下方に配置し得る。当業者であれば、センサ５５５を筐体１０３上の他の場所にも配置し得ることを認識し得る。例えば、センサ５５５をディスプレイ５５０の側面近傍に配置し得る。図５Ｃは、１つの実施態様に従って、センサ５５５の１つの実施例の拡大図を例証している。
【００２１】
一体型スピーカ
図示されていないが、正面１０１は、１つ又はそれ以上の一体型スピーカを含み得る。１つの実施態様について、センサ５５５近傍及びディスプレイ５５０下方の領域にスピーカを配置し得る。例えば、スピーカを場所５７０及び５７５に配置し得る。スピーカをコンピュータシステム１００の正面１０１のグリッドの下に隠し得る。高品質音声をもたらすために、スピーカは、アプリケーション（例えば、マルチメディアアプリケーション、ゲームアプリケーション）によって用いられ得る。
【００２２】
正面１０１は、１つ又はそれ以上の状態指示器５６０も含み得る。例えば、スピーカ状態、マイクロホン状態、ビデオカメラ状態等を表示するために、これらの状態表示器５６０を用い得る。状態表示器５６０は、例えば、オン及びオフ状況を表示するよう照明し得る。図５Ｄは、１つの実施態様に従って、状況表示器５６０の拡大図を例証している。本実施例において、状況表示器５６０はセンサ５５５の近傍に配置されるが、それらは筐体１０３上の他の場所にも配置され得る。
【００２３】
マイクロホン及び一体型カメラ
図５Ｅは、１つの実施態様に従って、一体型ビデオカメラ及び１つ又はそれ以上のマイクロホンを備えたコンピュータシステムの実施例を例証している。コンピュータシステム１００の正面１０１は、一体型ビデオカメラ５７０を含み得る。ビデオ会議又は１つ又はそれ以上の画像が捕捉される必要があり得る如何なる種類の対話のために、ビデオカメラ５７０を用い得る。例えば、使用者の存在を検出するために、或いは、アクセスのために使用者を認証するために、ビデオカメラ５７０を用い得る。この実施例において、コンピュータシステム１００は、使用者識別番号及びパスワードの通常の要求なしに使用者に即時アクセスを認証するための生物測定学的認識ソフトウェアを含み得る。１つの実施態様について、コンピュータシステム１００の前の異なる角度に向けるよう、ソフトウェアによってビデオカメラ５７０を制御し得る。
【００２４】
１つの実施態様について、コンピュータシステム１００の正面１０１は、１つ又はそれ以上のマイクロホン５７５（ここではマイクロホン５７５の配列と呼ぶ）も含み得る。マイクロホンの配列が正面１０１に対する様々な角度から音声を取り上げるのを可能にするために、それらは正面１０１上に配置される。マイクロホン５７５の配列は、コンピュータシステム１００が音声源の場所を概算し、且つ、音声源の方向に向けるようビデオカメラ５７０を制御することも可能にし得る。マイクロホン５７５の配列は、使用者が音声指令をコンピュータシステム１００に付与するこを可能にし得る。１つの実施態様について、マイクロホンの配列中のマイクロホンをディスプレイ５５０の周りに配置し得る。他の実施態様について、望ましくないノイズが頻繁に発生する場所（例えば冷却ファン等）から離れて、マイクロホン５７５の配列を配置し得る。図５Ｆは、１つの実施態様に従って、マイクロホンを配置し得る他の実施例を例証している。１つの実施態様について、マイクロホン５７５の配列は、図６Ｂに例証されるように、正面１０１の各隅部に配置されるマイクロホンを含み得る。当業者であれば、マイクロホン５７５の配列を他の場所にも配置し得ることを認識し得る。ビデオカメラ５７０及びマイクロホンの配列５７５の組み合わせは、使用者がコンピュータシステム１００とハンズフリーな対話を有することを可能にし得る。
【００２５】
キーボード
図６Ａ及び６Ｂは、１つの実施態様に従って、コンピュータシステム１００の正面図の実施例を例証している。この実施例において、キーボードトレイ３６０は、コンピュータシステム１００の前にあり且つスタンド３５５の完全に外側にあるように例証されている。キーボードトレイ３６０をスタンド３５５から引き抜き得るように、それをスタンド３５５内に格納し得る。図７Ａ及び７Ｂは、１つの実施態様に従って、スタンド３５５内に部分的に格納されたキーボードトレイ３６０の実施例を例証している。図７Ｃは、１つの実施態様に従って、スタンド３５５内に完全に格納されたキーボードトレイ３６０の実施例を例証している。１つの実施態様について、キーボード３５０は無線キーボードであり得る。これは有線キーボードと典型的に関連する距離の制約を低減し、且つ、どこでどのようにキーボード３５０を使用することを欲するかについてのより大きな自由と柔軟性をコンピュータシステム１００の使用者にもたらし得る。
【００２６】
図８Ａは、１つの実施態様に従って、キーボードトレイ３６０の拡大図の実施例を例証している。上述のように、キーボード３５０に加えて、キーボードトレイ３６０は、コンピュータシステム１００と共に用いられ得る他のアクセサリ装置も含み得る。１つの実施態様について、キーボードトレイ３６０は、１つ又はそれ以上のアクセサリ装置を保持するために、右側受け８０５及び左側受け８１０を含み得る。キーボード３５０をキーボードトレイ３６０に一体化し得る。代替的に、キーボード３５０は、キーボードトレイ３６０のキーボード受け（図示せず）内に着座し得るし、キーボード受けから持ち上げられ、且つ、キーボードトレイ３６０から取り外され得る。
【００２７】
遠隔コントローラ
図８Ｂは、１つの実施態様に従って、遠隔コントローラ８１５及び電話受話器８２０を備えるキーボードトレイ３６０の拡大図の実施例を例証している。キーボード３５０は、キーボード３５０及び／又はコンピュータシステム１００の様々な構成素子の状態を表示し得る状態表示器８２５を含み得る。例えば、状態表示器８２５は、「キャプスロック」がオンであること或いはコンピュータシステムが一時停止モードにあること等を表示し得る。
【００２８】
遠隔コントローラ８０５は、使用者がコンピュータシステム１００と遠隔的に対話することを可能にし得る。１つの実施態様について、コンピュータシステム１００は、メディア又はエンターテインメントセンターソフトウェアを含み得る。例えば、コンピュータシステム１００は、ワシントン州レッドモンド市のＭｉｃｒｏｓｏｆｔ  ＣｏｒｐｏｒａｔｉｏｎからのＷｉｎｄｏｗｓ（登録商標）  ＸＰ  Ｍｅｄｉａ  Ｃｅｎｔｅｒソフトウェアを含み得る。メディア又はエンターテインメントソフトウェアは、遠隔コントローラ８０５を用いて、使用者が操作し、選択し、且つ、再生するのを可能にするインターフェイスを提供し得る。赤外線（ＩＲ）遠隔制御プロトコルを用いて、遠隔コントローラ８０５とコンピュータシステム１００との間の通信を遂行し得る。
【００２９】
メディア又はエンターテインメントソフトウェアは、コンピュータシステム１００をメディアクライアント又はメディアサーバーとして作用させ得る。メディアクライアントとして作用するとき、使用者は、音楽、テレビ番組等を選択するために、遠隔コントローラ８０５を使用し得る。使用者は、コンピュータシステム１００内に記憶されたメディアファイルを管理するために、キーボード３５０も使用し得ることが分かり得る。メディアサーバーとして作用するとき、使用者は、コンピュータシステム１００とインターフェース接続し且つ他の装置上で再生を制御するために、遠隔コントローラ８０５を使用し得る。
【００３０】
図８Ｃは、１つの実施態様に従って、キーボードトレイ３６０内の受け内に着座する遠隔コントローラ８０５の拡大図を例証している。図８Ｄは、１つの実施態様に従って、遠隔コントローラ８０５の正面又は表面の拡大図を例証している。遠隔コントローラ８０５は、例えば、標準的なオーディオビデオ遠隔コントローラに典型的に設けられ得る通常の操作ボタン、番号ボタン等を含み得る。
【００３１】
図８Ｅは、１つの実施態様に従って、遠隔コントローラ８０５の背面８２０の拡大図を例証している。１つの実施態様について、遠隔コントローラ８０５の背面８２０をマウスパッドとして用い得る。例えば、外部マウス又はカーソル制御装置（図示せず）は、カーソルの位置を制御するために、遠隔コントローラ８０５の背面８２０をマウスパッドとして使用し得る。
【００３２】
電話受話器
図９Ａは、１つの実施態様に従って、電話受話器８２０を備えるキーボードトレイ３６０の拡大図の実施例を例証している。例証されているような電話受話器８２０は、キーボードトレイ３６０内の受け内にある。電話受話器８２０は、送話口９０５と、受話口９１０とを含み、使用者がコンピュータシステム１００を介して音声電話を行うのを可能にし得る。１つの実施態様について、電話受話器８２０は、無線通信モジュール（例えば、ブルートゥース通信モジュール等）を含み得るし、電話受話器８２０とコンピュータシステム１００との間の通信は、例えばブルートゥースプロトコルのような短距離の無線通信プロトコルを使用して構築され得る。ブルートゥースは、Ｂｌｕｅｔｏｏｔｈ  ＳＩＧ  Ｉｎｃ．によって公表され且つＩＥＥＥによって８０２．１５．１として規格化された、携帯ＰＤＡ、ＰＣ、携帯電話、及び、他の携帯装置の間の、小フォームファクタ、低コスト、且つ、短距離の無線リンクのための技術仕様の名称である。他の実施態様について、ＷＬＡＮ接続上でインターネットプロトコル上の音声（ＶｏＩＰ）を使用して、電話受話器８２０を使用して使用者によって遂行される会話を構築し得る。
【００３３】
図９Ｂは、１つの実施態様に従って、電話受話器８２０の正面又は表面の拡大図である。この図面には、電話受話器８２０の表面上には何の情報も表示されていない。図９Ｃは、１つの実施態様に従って、電話受話器８２０の正面又は表面の他の拡大図を例証している。この図面において、電話インターフェイスを活性化し得るし、情報を電話受話器８２０の表面上に照明し得る。例えば、電話番号等をダイヤルするために、電話受話器８２０は、通常の番号ボタン９１５を表示し得る。電話受話器８２０は、電話番号表示領域９２０も含み得る。電話受話器８２０は無線装置であり得るので、使用者は、コンピュータシステム１００の前にいない間に電話会話を遂行し得る。
【００３４】
コンピュータシステム
図１０は、１つの実施態様に従って、コンピュータシステム１００の例示的なブロック図を例証している。コンピュータシステム１００は、バス１０５０に結合されたプロセッサ１００５を含む。例えば、プロセッサ１００５は、カリフォルニア州サンタクララ市のＩｎｔｅｌ  Ｃｏｒｐｏｒａｔｉｏｎから入手可能なＰｅｎｔｉｕｍ（登録商標）ＩＩプロセッサファミリ、Ｐｅｎｔｉｕｍ（登録商標）ＩＩＩプロセッサ、Ｐｅｎｔｉｕｍ（登録商標）ＩＶを含むＰｅｎｔｉｕｍ（登録商標）ファミリプロセッサ内のプロセッサであり得る。コンピュータシステム１００は単一のプロセッサ１００５を備えて例証されているが、コンピュータシステム１００が複数のプロセッサを有し、或いは、プロセッサ１００５が複数のコアを有し得ることが可能であり得る。
【００３５】
主メモリ１０１０もバス１０５０に結合し得るし、プロセッサ１００５又はコンピュータシステム１００内に含まれる任意の他の装置によって実行されるデータ及び連続的命令を記憶し得る。主メモリ１０１０は、随時呼出メモリ（ＲＡＭ）、読出専用メモリ（ＲＯＭ）、及び／又は、他の種類のメモリを含み得る。加えて、情報及び命令を記憶するために、データ記憶装置１０１５もバス１０５０に結合し得る。データ記憶装置１０１５は、磁気ディスク（例えば、ハードディスク）、光ディスク（例えば、ＣＤ−ＲＯＭ）、及び／又は、デジタル多用途ディスク（ＤＶＤ）等を含み得る。コンピュータシステム１００は、チップセット１０２０をさらに含み得る。チップセット１０２０は、グラフィックコントローラ（図示せず）と、入力／出力（Ｉ／Ｏ）コントローラ（図示せず）とを含み得る。グラフィックコントローラは、コンピュータシステム１００のディスプレイ５５０上に表示されるべき情報を管理し得る。Ｉ／Ｏコントローラは、コンピュータシステム１００に接続され得るＩ／Ｏ装置（例えば、ゲームコントローラ、マウス等）を管理し得る。無線及び／又は無線接続を介して、パーソナルエリアネットワーク、構内エリアネットワーク、及び／又は、広域ネットワークのようなネットワークへのアクセスをそれぞれもたらすために、バス１０５０への接続は、１つ又はそれ以上のアンテナ１０２０、及び／又は、ネットワークインターフェース１０２５でもあり得る。
【００３６】
プロセッサ１００５によって実行される命令は、機械アクセス可能な媒体から主メモリに提供され、或いは、遠隔接続を介して（例えば、アンテナ１０２５及び／又はネットワークインターフェース１０３０を介したネットワーク上で）アクセス可能な外部記憶装置は、１つ又はそれ以上の電子的にアクセス可能な媒体等へのアクセスを提供し得る。機械アクセス可能な媒体は、機械（例えば、コンピュータ）によって読取可能な形態の情報をもたらす（即ち、記憶し且つ／或いは伝達する）如何なる機構をも含み得る。例えば、機械アクセス可能な媒体は、ＲＡＭ、ＲＯＭ、磁気又は光記憶媒体、フラシュメモリ装置、電気的、光学的、音響的、又は、他の形態の伝搬信号（例えば、搬送波、赤外線信号、デジタル信号）等を含み得る。代替的な実施態様において、指令の代わりに或いは組み合わせで、結線回路を用い得る。よって、本発明の実施態様は、ハードウェア回路及びソフトウェア命令の如何なる特別な組み合わせにも限定されない。
【００３７】
本発明は特別の例示的な実施態様を参照して記載されたが、請求項に示されるような本発明のより広い精神及び範囲から逸脱することなしに、これらの実施態様に多様な修正及び変更を行い得ることが明白であろう。従って、明細書及び図面は、制限的というよりも例示的なものと考えられるべきである。
【図面の簡単な説明】
【００３８】
【図１Ａ】１つの実施態様に従って、コンピュータシステムを示す概略図である。
【図１Ｂ】１つの実施態様に従って、コンピュータシステムの背面を示す異なる概略図である。
【図１Ｃ】１つの実施態様に従って、コンピュータシステムの背面を示す異なる概略図である。
【図２Ａ】１つの実施態様に従って、コンピュータシステムの運搬ハンドルを異なる位置で示す概略図である。
【図２Ｂ】１つの実施態様に従って、コンピュータシステムの運搬ハンドルを異なる位置で示す概略図である。
【図２Ｃ】１つの実施態様に従って、コンピュータシステムの運搬ハンドルを異なる位置で示す概略図である。
【図２Ｄ】１つの実施態様に従って、コンピュータシステムの運搬ハンドルを異なる位置で示す概略図である。
【図２Ｅ】１つの実施態様に従って、コンピュータシステムの運搬ハンドルを完全開放位置で示す概略図である。
【図２Ｆ】コンピュータシステム１００と共に用い得る運搬ハンドルの１つの実施態様の実施例を示す概略図である。
【図２Ｇ】図２Ｆに記載される運搬ハンドルを例証するコンピュータシステム１００を示す１つの例示的な正面図である。
【図２Ｈ】図２Ｆに記載される運搬ハンドルを例証するコンピュータシステム１００を示す１つの例示的な側面図である。
【図２Ｉ】図２Ｆに記載される運搬ハンドルを例証するコンピュータシステム１００を示す１つの例示的な側面図である。
【図３Ａ】１つの実施態様に従って、下方パネルが展開されたときのコンピュータシステムの下方パネルの異なる位置を例証する概略図である。
【図３Ｂ】１つの実施態様に従って、下方パネルが展開されたときのコンピュータシステムの下方パネルの異なる位置を例証する概略図である。
【図３Ｃ】１つの実施態様に従って、様々な角度で直立位置にあるコンピュータシステムの実施例を例証する概略図である。
【図３Ｄ】１つの実施態様に従って、様々な角度で直立位置にあるコンピュータシステムの実施例を例証する概略図である。
【図３Ｅ】１つの実施態様に従って、様々な角度で直立位置にあるコンピュータシステムの実施例を例証する概略図である。
【図３Ｆ】１つの実施態様に従って、様々な角度で直立位置にあるコンピュータシステムの実施例を例証する概略図である。
【図４Ａ】１つの実施態様に従って、スタンドから滑り出て下方パネルから離れるときのキーボードトレイの異なる位置の実施例を例証する概略図である。
【図４Ｂ】１つの実施態様に従って、スタンドから滑り出て下方パネルから離れるときのキーボードトレイの異なる位置の実施例を例証する概略図である。
【図４Ｃ】１つの実施態様に従って、スタンドから滑り出て下方パネルから離れるときのキーボードトレイの異なる位置の実施例を例証する概略図である。
【図４Ｄ】他の実施態様に従って、スタンドから出たキーボードトレイの実施例を例証する概略図である。
【図４Ｅ】他の実施態様に従って、スタンドから出たキーボードトレイの実施例を例証する概略図である。
【図５Ａ】１つの実施態様に従って、コンピュータシステムの側面の実施例を例証する概略図である。
【図５Ｂ】１つの実施態様に従って、コンピュータシステムのハウジングを示す１つの例示的な正面図である。
【図５Ｃ】１つの実施態様に従って、センサの１つの実施例を例証する拡大図である。
【図５Ｄ】１つの実施態様に従って、状態表示器を例証する拡大図である。
【図５Ｅ】１つの実施態様に従って、一体型のビデオカメラ及び１つ又はそれ以上のマイクロホンを備えるコンピュータシステムの１つの実施例を例証する概略図である。
【図５Ｆ】１つの実施態様に従って、マイクロホンを配置し得る他の実施例を示す概略図である。
【図６Ａ】１つの実施態様に従って、コンピュータシステムを示す１つの例示的な正面図である。
【図６Ｂ】１つの実施態様に従って、コンピュータシステムの正面図の実施例を例証する概略図である。
【図７Ａ】１つの実施態様に従って、下方パネル内に部分的に格納されたキーボードトレイの実施例を例証する概略図である。
【図７Ｂ】１つの実施態様に従って、下方パネル内に部分的に格納されたキーボードトレイの実施例を例証する概略図である。
【図７Ｃ】１つの実施態様に従って、下方パネル内に完全に格納されたキーボードトレイの実施例を例証する概略図である。
【図８Ａ】１つの実施態様に従って、キーボードトレイの拡大図の実施例を例証する概略図である。
【図８Ｂ】１つの実施態様に従って、遠隔コントローラ及び電話受話器を備えるキーボードトレイの拡大図の実施例を例証する概略図である。
【図８Ｃ】１つの実施態様に従って、キーボードトレイ内の受け内に着座する遠隔コントローラを例証する拡大図である。
【図８Ｄ】１つの実施態様に従って、遠隔コントローラ自体の正面又は表面を例証する拡大図である。
【図８Ｅ】１つの実施態様に従って、遠隔コントローラの背面を例証する拡大図である。
【図９Ａ】１つの実施態様に従って、電話受話器を備えたキーボードトレイの拡大図の実施例を示す概略図である。
【図９Ｂ】１つの実施態様に従って、電話受話器の正面又は表面を例証する拡大図である。
【図９Ｃ】１つの実施態様に従って、電話インターフェイスが活性化されたときの電話受話器の正面又は表面を例証する拡大図である。
【図１０】１つの実施態様に従って、コンピュータシステムを例示的に例証するブロック図である。
【図１Ａ】
2007517323.tif 000002
【図１Ｂ】
2007517323.tif 000003
【図１Ｃ】
2007517323.tif 000004
【図２Ａ】
2007517323.tif 000005
【図２Ｂ】
2007517323.tif 000006
【図２Ｃ】
2007517323.tif 000007
【図２Ｄ】
2007517323.tif 000008
【図２Ｅ】
2007517323.tif 000009
【図２Ｆ】
2007517323.tif 000010
【図２Ｇ】
2007517323.tif 000011
【図２Ｈ】
2007517323.tif 000012
【図２Ｉ】
2007517323.tif 000013
【図３Ａ】
2007517323.tif 000014
【図３Ｂ】
2007517323.tif 000015
【図３Ｃ】
2007517323.tif 000016
【図３Ｄ】
2007517323.tif 000017
【図３Ｅ】
2007517323.tif 000018
【図３Ｆ】
2007517323.tif 000019
【図４Ａ】
2007517323.tif 000020
【図４Ｂ】
2007517323.tif 000021
【図４Ｃ】
2007517323.tif 000022
【図４Ｄ】
2007517323.tif 000023
【図４Ｅ】
2007517323.tif 000024
【図５Ａ】
2007517323.tif 000025
【図５Ｂ】
2007517323.tif 000026
【図５Ｃ】
2007517323.tif 000027
【図５Ｄ】
2007517323.tif 000028
【図５Ｅ】
2007517323.tif 000029
【図５Ｆ】
2007517323.tif 000030
【図６Ａ】
2007517323.tif 000031
【図６Ｂ】
2007517323.tif 000032
【図７Ａ】
2007517323.tif 000033
【図７Ｂ】
2007517323.tif 000034
【図７Ｃ】
2007517323.tif 000035
【図８Ａ】
2007517323.tif 000036
【図８Ｂ】
2007517323.tif 000037
【図８Ｃ】
2007517323.tif 000038
【図８Ｄ】
2007517323.tif 000039
【図８Ｅ】
2007517323.tif 000040
【図９Ａ】
2007517323.tif 000041
【図９Ｂ】
2007517323.tif 000042
【図９Ｃ】
2007517323.tif 000043
【図１０】
2007517323.tif 000044
【国際調査報告】
2007517323.tif 000045
2007517323.tif 000046
2007517323.tif 000047